(57)【要約】【課題】装着が容易であるとともに、着用感に優れ、且つ生産性に優れた男性用尿パッドを提供する。【解決手段】本発明の男性用尿パッド１ａは、吸収体２２と、吸収体の一方の表面を被覆するように配置されたトップシート１８と、吸収体２２の他方の表面を被覆するように配置されたバックシート２０とを有する吸収性本体１４を備え、吸収性本体１４は、シート状に形成された吸収性本体前駆体の面上の点Ｐ１と、吸収性本体前駆体の外縁上の点Ｐ２及び点Ｐ３とによって囲われる第一の領域４４において、少なくとも一部が重ね合わされた状態で接合され、吸収性本体１４が、バックシート２０側の表面が突出するように湾曲し、トップシート１８側の表面側に凹状の空間４６を有する形状に形成されてなり、吸収性本体１４を、凹状の空間４６にて着用者の男性器を覆うように宛がって使用するものである。【選択図】図１Ａ
2010029360.tif 000002
【特許請求の範囲】
【請求項１】
吸収体と、前記吸収体の一方の表面を被覆するように配置され、少なくとも一部が液透過性材料からなるトップシートと、前記吸収体の他方の表面を被覆するように配置され、液不透過性材料からなるバックシートとを有する吸収性本体を備え、
前記吸収性本体は、シート状に形成された吸収性本体の前駆体（吸収性本体前駆体）の面上の点Ｐ１と、前記吸収性本体前駆体の外縁上の点Ｐ２及び点Ｐ３とによって囲われる第一の領域において、少なくとも一部が重ね合わされた状態で接合され、前記吸収性本体が、前記バックシート側の表面が突出するように湾曲し、前記トップシート側の表面側に凹状の空間を有する形状に形成されてなり、
前記吸収性本体を、前記凹状の空間にて着用者の男性器を覆うように宛がって使用する男性用尿パッド。
【請求項２】
前記吸収性本体は、前記吸収性本体前駆体の面上の前記点Ｐ１を起点とし、前記第一の領域の面積を二等分する線に沿って、前記吸収性本体前駆体の前記バックシート側の表面側に向けて山折りに折り曲げられ、前記第一の領域における前記トップシート側の表面の対向する面が接合されてなる請求項１に記載の男性用尿パッド。
【請求項３】
前記吸収性本体は、前記吸収性本体前駆体の面上の前記点Ｐ１から前記吸収性本体前駆体の外縁に向けて、前記第一の領域が切断され、前記切断により分断された前記第一の領域が重ね合わされて接合されてなる請求項１に記載の男性用尿パッド。
【請求項４】
前記吸収性本体は、前記吸収性本体前駆体の面上の点Ｐ４と、前記吸収性本体前駆体の外縁上の点Ｐ５及び点Ｐ６とによって囲われる第二の領域において、少なくとも一部が更に重ね合わされた状態で接合されてなる請求項１〜３のいずれか一項に記載の男性用尿パッド。
【請求項５】
前記吸収性本体は、前記点Ｐ１及び前記点Ｐ４のぞれぞれが、前記吸収性本体前駆体の表面の中心点を通過し且つ前記吸収性本体前駆体の表面の面積を二等分する線上に位置するように構成されてなる請求項４に記載の男性用尿パッド。
【請求項６】
前記吸収性本体は、前記点Ｐ１から、前記トップシート側の前記凹状の空間の開口部外縁までの最短距離Ｌ１よりも、前記点Ｐ４から、前記トップシート側の前記凹状の空間の開口部外縁までの最短距離Ｌ２が長くなるように構成されてなる請求項５に記載の男性用尿パッド。
【請求項７】
前記吸収性本体は、前記バックシート側の表面に、前記吸収性本体を着脱可能に固定するための固定部を更に有してなる請求項１〜６のいずれか一項に記載の男性用尿パッド。
【発明の詳細な説明】
【技術分野】
【０００１】
本発明は、男性用尿パッドに関する。更に詳しくは、装着が容易であるとともに、着用感に優れ、且つ生産性に優れた男性用尿パッドに関する。
【背景技術】
【０００２】
従来、乳幼児用、或いは高齢者・障害者等の成人用の吸収性物品として、吸収体、トップシート、及びバックシートを備えた使い捨ておむつや尿パッドが広く利用されている。そして、男性用に特化した吸収性物品として、男性器を被包して用いるタイプの男性用尿パッドが知られている（例えば、特許文献１参照）。この男性用尿パッドは、従来の使い捨ておむつや尿パッドと同様に、吸収体、トップシート、及びバックシートを備えた吸収性物品であるが、単に着用者に宛がうのではなく、男性器を被包して用いる点に特徴がある。
【０００３】
例えば、図１５に示す男性用尿パッド１００は、表面シート１０２（例えば、トップシート）と、裏面シート１０４（例えば、バックシート）と、両シートの間の一部に介装された吸収体１０６とを備えており、更に裏面シート１０４側の表面に、装着用の粘着部１０８が形成されている。このような男性用尿パッド１００は、その上端縁１１０が手前側（着用者の身体側）となるように男性器１１８の下側から宛がい、直線Ｌ１，Ｌ２に沿って、パッドの右側縁１１２、左側縁１１４をパッド中央側に折り返した後、粘着部１０８を左側縁１１４側の表面シート１０２に対して固定した状態で用いられる。こうすることにより、男性用尿パッド１００は、上端縁１１０側を開口部、下端縁１１６側を頂点とするコーン状（サック状）となるため、男性器１１８を被包することができる。なお、図１５において、符号１３８は、パッド伸縮材を示す。
【０００４】
前記のような男性用尿パッドは男性器を被包した状態で用いるため、使い捨ておむつ、或いは単に下着やおむつ上に載置して用いる尿パッドと比較して、排泄物と着用者の肌との接触面積を少なくすることができる。従って、排泄物に起因するスキントラブルを減少させることが可能となるという利点がある。
【０００５】
また、例えば、表面シートと裏面シートとの間に配設された吸収体を有し、吸収体の外側（外縁）に、長手方向（左右方向）に沿ってフラップ部が形成され、そのフラップ部の長手方向の略中央部に切り込み部（スリット）が形成された男性用尿パッドも提案されている（例えば、特許文献２参照）。
【０００６】
更に、男性用尿パッドとしては、男性器を被包することができるように、男性用尿パッドが袋状に成形されたものも提案されている（例えば、特許文献３参照）。
【０００７】
【特許文献１】特開平８−２８０７２７号公報
【特許文献２】特開２００１−１２９０１２号公報
【特許文献３】特開平９−２９９３９２号公報
【発明の開示】
【発明が解決しようとする課題】
【０００８】
しかしながら、特許文献１及び２に示すような男性用尿パッドは、着用者の動作等によって男性器から尿パッドがずれたり外れたりし易く、尿漏れを惹起するおそれがあるという問題があった。また、このような男性用尿パッドは、装着に極めて手間が掛かるという問題もあった。
【０００９】
また、特許文献３に示すような男性用尿パッドは、構造が極めて複雑であるため、その製造が困難になったり、製造コストが上昇したりするという問題があった。
【００１０】
本発明は、このような従来技術の課題を解決するためになされたものであって、装着が容易であるとともに、着用感に優れ、且つ生産性に優れた男性用尿パッドを提供するものである。
【課題を解決するための手段】
【００１１】
本発明者は、前記のような従来技術の課題を解決するために鋭意検討した結果、シート状に構成された吸収性本体を、その面上の１点と、その点から吸収性本体の外縁上に放射状に伸びる２点とによって囲われた領域にて、吸収性本体の一部が重ね合わさるように接合し、その吸収性本体を、例えば、椀状や笠状の立体的構造を有する形状に形成することによって、上記課題が解決されることに想到し、本発明を完成させた。具体的には、本発明により、以下の男性用尿パッドが提供される。
【００１２】
［１］  吸収体と、前記吸収体の一方の表面を被覆するように配置され、少なくとも一部が液透過性材料からなるトップシートと、前記吸収体の他方の表面を被覆するように配置され、液不透過性材料からなるバックシートとを有する吸収性本体を備え、前記吸収性本体は、シート状に形成された吸収性本体の前駆体（吸収性本体前駆体）の面上の点Ｐ１と、前記吸収性本体前駆体の外縁上の点Ｐ２及び点Ｐ３とによって囲われる第一の領域において、少なくとも一部が重ね合わされた状態で接合され、前記吸収性本体が、前記バックシート側の表面が突出するように湾曲し、前記トップシート側の表面側に凹状の空間を有する形状に形成されてなり、前記吸収性本体を、前記凹状の空間にて着用者の男性器を覆うように宛がって使用する男性用尿パッド。
【００１３】
［２］  前記吸収性本体は、前記吸収性本体前駆体の面上の前記点Ｐ１を起点とし、前記第一の領域の面積を二等分する線に沿って、前記吸収性本体前駆体の前記バックシート側の表面側に向けて山折りに折り曲げられ、前記第一の領域における前記トップシート側の表面の対向する面が接合されてなる前記［１］に記載の男性用尿パッド。
【００１４】
［３］  前記吸収性本体は、前記吸収性本体前駆体の面上の前記点Ｐ１から前記吸収性本体前駆体の外縁に向けて、前記第一の領域が切断され、前記切断により分断された前記第一の領域が重ね合わされて接合されてなる前記［１］に記載の男性用尿パッド。
【００１５】
［４］  前記吸収性本体は、前記吸収性本体前駆体の面上の点Ｐ４と、前記吸収性本体前駆体の外縁上の点Ｐ５及び点Ｐ６とによって囲われる第二の領域において、少なくとも一部が更に重ね合わされた状態で接合されてなる前記［１］〜［３］のいずれかに記載の男性用尿パッド。
【００１６】
［５］  前記吸収性本体は、前記点Ｐ１及び前記点Ｐ４のそれぞれが、前記吸収性本体前駆体の表面の中心点を通過し且つ前記吸収性本体前駆体の表面の面積を二等分する線上に位置するように構成されてなる前記［４］に記載の男性用尿パッド。
【００１７】
［６］  前記吸収性本体は、前記点Ｐ１から、前記トップシート側の前記凹状の空間の開口部外縁までの最短距離Ｌ１よりも、前記点Ｐ４から、前記トップシート側の前記凹状の空間の開口部外縁までの最短距離Ｌ２が長くなるように構成されてなる前記［５］に記載の男性用尿パッド。
【００１８】
［７］  前記吸収性本体は、前記バックシート側の表面に、前記吸収性本体を着脱可能に固定するための固定部を更に有してなる前記［１］〜［６］のいずれかに記載の男性用尿パッド。
【発明の効果】
【００１９】
本発明の男性用尿パッドは、吸収性本体のトップシート側の表面側に形成された凹状の空間にて着用者の男性器を覆うように宛がって使用することができるため、装着が容易であるとともに、着用感に優れている。また、構造が簡素で、シート状の吸収性本体の前駆体を用いて、上述した着用者の男性器を覆うような空間を有する立体的構造を簡便に形成することができ、生産性に優れたものである。
【発明を実施するための最良の形態】
【００２０】
以下、本発明の男性用尿パッドを実施するための最良の形態について、図面を参照しながら具体的に説明する。但し、本発明はその発明特定事項を備える男性用尿パッドを広く包含するものであり、以下の実施形態に限定されるものではない。
【００２１】
［１］本発明の構成：
本発明の男性用尿パッドは、例えば、図１Ａ及び図１Ｂに示すように、吸収体２２と、吸収体２２の一方の表面を被覆するように配置され、少なくとも一部が液透過性材料からなるトップシート１８と、吸収体２２の他方の表面を被覆するように配置され、液不透過性材料からなるバックシート２０とを有する吸収性本体１４を備えた男性用尿パッド１であって、この吸収性本体１４は、図１Ｃに示すように、シート状に形成された吸収性本体の前駆体１４ａ（以下、「吸収性本体前駆体」ということがある）の面上の点Ｐ１と、吸収性本体前駆体１４ａの外縁４２上の点Ｐ２及び点Ｐ３によって囲われる第一の領域４４において、少なくとも一部が重ね合わされた状態で接合され、図１Ａ及び図１Ｂに示すように、吸収性本体１４が、バックシート２０側の表面が突出するように湾曲し、トップシート１８側の表面側に凹状の空間４６を有する形状に形成されてなり、吸収性本体１４を、凹状の空間４６にて着用者の男性器を覆うように宛がって使用する男性用尿パッド１ａである。
【００２２】
ここで、図１Ａは、本発明の男性用尿パッドの一の実施形態を模式的に示す斜視図であり、図１Ｂは、図１Ａに示す男性用尿パッドの側面図である。また、図１Ｃは、本発明の男性用尿パッドの一の実施形態における吸収性本体前駆体を示す平面図である。
【００２３】
このような本発明の男性用尿パッドは、吸収性本体のトップシート側の表面側に形成された凹状の空間にて着用者の男性器を覆うように宛がって使用することができるため、装着が容易であるとともに、着用感に優れている。また、構造が簡素で、シート状の吸収性本体前駆体を用いて、上述した着用者の男性器を覆うような空間を有する立体的構造を簡便に形成することができ、生産性に優れたものである。
【００２４】
図１Ａ及び図１Ｂに示す男性用尿パッド１ａにおける吸収性本体１４は、図１Ｃ示すように、吸収性本体前駆体１４ａの面上の点Ｐ１と、この点Ｐ１から吸収性本体前駆体１４ａの外縁４２上に放射状に伸びた点Ｐ２及び点Ｐ３とによって囲われる第一の領域４４が、前記点Ｐ１を起点とし、第一の領域４４の面積を二等分する線５４に沿って、吸収性本体前駆体１４ａのバックシート２０側の表面側に向けて山折りに折り曲げられ、第一の領域４４におけるトップシート１８側の表面の対向する面が接合されてなるものである。
【００２５】
即ち、この男性用尿パッド１ａは、第一の領域４４における山折り線（線５４）により、吸収性本体前駆体１４ａの外縁４２上の点Ｐ２と点Ｐ３とが重なり合うように第一の領域４４が二つ折りに折り曲げられて接合部５２ａが形成され、吸収性本体１４が笠状の立体構造を形成している。
【００２６】
本発明において、「吸収性本体」とは、図１Ａに示すように、吸収体２２と、吸収体２２の一方の表面を被覆するように配置され、少なくとも一部が液透過性材料からなるトップシート１８と、吸収体２２の他方の表面を被覆するように配置され、液不透過性材料からなるバックシート２０とを構成要素として有し、吸収体２２がトップシート１８とバックシート２０との間に挟み込まれた状態で固定され、パッド状に一体化された部材のことをいう。
【００２７】
また、「吸収性本体の前駆体（吸収性本体前駆体）」とは、吸収体と、トップシートと、バックシートとを有し、上記した第一の領域における接合がなされる前のシート状の吸収性本体のことをいう。本発明の男性用尿パッドにおいては、このようなシート状の吸収性本体前駆体の上記第一の領域の少なくとも一部が重ね合わされた状態で接合されることによって、笠状や椀状等の立体構造を有する吸収性本体を形成している。
【００２８】
なお、上記した接合部５２ａ（図１Ａ及び図１Ｂ参照）は、例えば、ホットメルト接着剤、その他の流動性の高い接着剤を用いて接着することによって形成することができる。また、この接合部５２ａは、例えば、ヒートシールをはじめとする熱や超音波等により溶着して形成することもできる。
【００２９】
なお、本発明の男性用尿パッドは、上記第一の領域において、吸収性本体前駆体の少なくとも一部が重ね合わされた状態で接合されて、着用者の男性器を覆うような立体構造が形成されたものであれば、上述したように第一の領域を山折りにして、吸収性本体前駆体の一部が接合されたものでなくともよい。
【００３０】
例えば、図２Ａ〜図２Ｃに示すように、吸収性本体１４が、吸収性本体前駆体１４ａの面上の点Ｐ１から吸収性本体前駆体１４ａの外縁４２に向けて、第一の領域４４を分断するように切断され、切断により分断された第一の領域４４ａ，４４ｂが重ね合わされて接合されてなる男性用尿パッド１ｂであってもよい。
【００３１】
即ち、図２Ａ〜図２Ｃに示す男性用尿パッド１ｂは、第一の領域４４を二つに分断するように吸収性本体前駆体１４ａに切れ目５８を入れ、分断された二つの第一の領域４４ａ，４４ｂが重ね合わされて接合されて接合部５２ｂが形成され、吸収性本体１４が笠状の立体構造を形成している。
【００３２】
ここで、図２Ａは、本発明の男性用尿パッドの他の実施形態を模式的に示す斜視図であり、図２Ｂは、図２Ａに示す男性用尿パッドの側面図である。また、図２Ｃは、本発明の男性用尿パッドの他の実施形態における吸収性本体前駆体を示す平面図である。なお、図２Ａ〜図２Ｃにおいて、図１に示す男性用尿パッド１ａの各要素と同様に構成されているものについては、同一の符号を付して説明を省略する。
【００３３】
このように、本発明の男性用尿パッドは、点Ｐ１、点Ｐ２、及び点Ｐ３によって囲われる上記第一の領域において、シート状に構成された吸収性本体前駆体の少なくとも一部が重なり合うように接合されることにより、トップシート側の表面側に凹状の空間を有する立体構造が形成されたものであれば、図１Ａ及び図１Ｂに示す男性用尿パッド１ａと同様の効果、即ち、装着が容易であるとともに、着用感に優れ、且つ、構造が簡素で、シート状の吸収性本体前駆体を用いて、着用者の男性器を覆うような空間を有する立体的構造を簡便に形成することができ、生産性に優れるという効果を奏するものとなる。
【００３４】
また、本発明の男性用尿パッドは、例えば、図３Ａ〜図３Ｃに示すように、吸収性本体１４が、吸収性本体前駆体１４ａの面上の点Ｐ１から吸収性本体前駆体１４ａの外縁４２に向けて、第一の領域４４の一部を切り取るように切断され（切り欠き部５９）、切断により分断された二つの第一の領域４４ａ，４４ｂが重ね合わされて接合されてなる男性用尿パッド１ｃであってもよい。
【００３５】
このように、上記第一の領域を切断する場合には、単に、点Ｐから吸収性本体前駆体の外縁に向けて切り込みを入れるのではなく、第一の領域の一部を、例えば、点Ｐ２〜点Ｐ３間が直線の場合には三角形に、また、点Ｐ２〜点Ｐ３間が円弧状の場合には扇形に切り取るように切断され、切断により分断された残りの第一の領域４４ａ，４４ｂが重ね合わされて接合されることにより笠状の立体構造が形成されていてもよい。
【００３６】
ここで、図３Ａは、本発明の男性用尿パッドの更に他の実施形態を模式的に示す斜視図であり、図３Ｂは、図３Ａに示す男性用尿パッドの側面図である。また、図３Ｃは、本発明の男性用尿パッドの更に他の実施形態における吸収性本体前駆体を示す平面図である。なお、図３Ａ〜図３Ｃにおいて、図１に示す男性用尿パッド１ａの各要素と同様に構成されているものについては、同一の符号を付して説明を省略する。
【００３７】
また、図１Ａ及び図１Ｂに示す男性用尿パッド１ａは、シート状の吸収性本体前駆体１４ａ（図１Ｃ参照）として、その表面形状が円形のものを用いた場合の例を示しているが、例えば、シート状の吸収性本体前駆体として、その表面形状が四角形、五角形、六角形等の多角形のものや、その表面形状が楕円形等のものを用いた男性用尿パッドであってもよい。
【００３８】
例えば、図４に示す男性用尿パッド１ｄは、長方形の吸収性本体１４の前駆体（吸収性本体前駆体）を用いた場合の例を示し、図５に示す男性用尿パッド１ｅは、楕円形の吸収性本体１４の前駆体（吸収性本体前駆体）を用いた場合の例を示し、図６に示す男性用尿パッド１ｆは、五角形の吸収性本体１４の前駆体（吸収性本体前駆体）を用いた場合の例を示し、図７に示す男性用尿パッド１ｇは、六角形の吸収性本体１４の前駆体（吸収性本体前駆体）を用いた場合の例を示している。ここで、図４〜図７は、本発明の男性用尿パッドの更に他の実施形態を模式的に示す斜視図である。なお、図４〜図７において、図１に示す男性用尿パッド１ａの各要素と同様に構成されているものについては、同一の符号を付して説明を省略する。
【００３９】
また、本発明の男性用尿パッドにおいては、例えば、図８Ａ及び図８Ｂに示すように、吸収性本体前駆体１４ａが、点Ｐ１を起点とし第一の領域４４の面積を二等分する線に対称に、吸収性本体前駆体１４ａの外縁から内側に向かって二箇所以上（図８Ａにおいては二箇所）の切り欠き部５９ａ，５９ｂが形成されるように切断され、切断により分断された第一の領域４４ｃ，４４ｄ，４４ｅが重ね合わされて接合されてなる男性用尿パッド１ｍであってもよい。
【００４０】
この図８Ｂに示す男性用尿パッド１ｍにおいては、切断により分断された左右の第一の領域４４ｃ，４４ｅが、中央の第一の領域４４ｄの一部を覆うように重ね合わされて接合部が形成されている。
【００４１】
また、図８Ａ及び図８Ｂにおいては、第一の領域４４が曲線状に切り取られて、外周がＲ状の切り欠き部５９ａ，５９ｂが形成された場合の例を示しているが、切断の軌跡については、上記曲線状に限定されることはない。
【００４２】
ここで、図８Ａは、本発明の男性用尿パッドの更に他の実施形態における吸収性本体前駆体を示す平面図であり、図８Ｂは、図８Ａに示す吸収性本体前駆体からなる男性用尿パッドを示す平面図である。
【００４３】
更に、本発明の男性用尿パッドにおいては、例えば、図９Ａ及び図９Ｂに示すように、シート状に形成された吸収性本体前駆体１４ａの面上の点Ｐ１と、吸収性本体前駆体１４ａの外縁４２上の点Ｐ２及び点Ｐ３によって囲われる第一の領域４４において、少なくとも一部が重ね合わされた状態で接合される場合に、接合部５２ａの境界部分が曲線状に構成されていてもよい。
【００４４】
図９Ｂに示す男性用尿パッド１ｎは、点Ｐ１から吸収性本体前駆体１４ａの外縁４２上に放射状に伸びた点Ｐ２及び点Ｐ３とによって囲われる第一の領域４４中の、点Ｐ１と、点Ｐ２及び点Ｐ３とを結ぶ二本の曲線によって構成される部位（図９Ａにおける斜線部分）が、前記点Ｐ１を起点とし、第一の領域４４の面積を二等分する線５４に沿って、吸収性本体前駆体１４ａのバックシート２０側の表面側に向けて山折りに折り曲げられ、第一の領域４４におけるトップシート１８側の表面の対向する面が接合されてなるものである。これにより、男性用尿パッド１ｎの第一の領域４４が重ね合わされて形成された側面の傾斜部分が曲線となり、着用感に優れた男性用尿パッド１ｎとすることができる。
【００４５】
ここで、図９Ａは、本発明の男性用尿パッドの更に他の実施形態における吸収性本体前駆体を示す平面図であり、図９Ｂは、図９Ａに示す吸収性本体前駆体からなる男性用尿パッドを示す側面図である。
【００４６】
また、本発明の男性用尿パッドにおいては、点Ｐ１と点Ｐ２とを結ぶ線分Ｐ１Ｐ２の長さと、点Ｐ１と点Ｐ３とを結ぶ線分Ｐ１Ｐ３との長さが同じであることが好ましい。即ち、点Ｐ１が、点Ｐ２と点Ｐ３とから等距離に位置することが好ましい。このように構成することによって、男性用尿パッドが、線分Ｐ１Ｐ２と線分Ｐ１Ｐ３とによってなす角の二等分線を中心軸とした対称的な立体構造（即ち、着用者に対して左右対称な構造）となり、着用者の男性器を覆うように宛がって使用する場合に、良好な着用感を得ることができる。
【００４７】
また、本発明の男性用尿パッドにおいては、点Ｐ１が、吸収性本体前駆体の表面の中心点を通過し且つ吸収性本体前駆体の表面の面積を二等分する線上に位置することが好ましい。このように構成することによって、男性用尿パッドが、上記面積を二等分する線を中心軸として対称的な立体構造（即ち、着用者に対して左右対称な構造）となり、着用者の男性器を覆うように宛がって使用する場合に、良好な着用感を得ることができる。
【００４８】
また、本発明の男性用尿パッドは、上記点Ｐ１が、笠状の立体構造における頂部となっているが、この点Ｐ１は、吸収性本体前駆体の中心点に必ずしも位置していなくともよい。図１Ａ〜図１Ｃにおいては、点Ｐ１が吸収性本体前駆体１４ａの中心点から、弧Ｐ２Ｐ３側にずれた箇所に位置しており、笠状の立体構造における頂部（点Ｐ１）が、点Ｐ２及び点Ｐ３側にずれた立体構造、即ち、斜錐体となっている。
【００４９】
このように構成することによって、例えば、斜錐体における側面の傾斜が急になる側を、着用者の股下部側に宛がって使用することにより、睾丸を含めた男性器全体を良好に覆うことができ、着用感に優れるとともに、男性用尿パッドからの尿漏れを有効に防止することができる。例えば、図１Ａ及び図１Ｂに示す男性用尿パッド１ａにおいては、点Ｐ１と点Ｐ２を結ぶ線分を含む斜面側を、着用者の股下部側に宛がって使用することが好ましい。
【００５０】
また、本発明の男性用尿パッドにおいては、図１Ａに示すように、吸収性本体１４が、バックシート２０側の表面に、吸収性本体１４を、着脱可能に固定するための固定部５６を更に有してなることが好ましい。このように構成することによって、男性用尿パッド１ａを、下着等の衣類や、おむつ等の吸収性物品の内側に固定して使用することが可能となる。
【００５１】
このような固定部としては、例えば、粘着テープやメカニカルファスナー等を挙げることができる。このような固定部を更に有するものであることにより、本発明の男性用尿パッドを、衣類やおむつ等の内面に固定することができ、男性用尿パッドの位置ずれを有効に防止することができる。
【００５２】
上記した「メカニカルファスナー（面状ファスナーとも称される）」とは、機械的結合を用いた面状ファスナーであり、例えば、表面に多数の突起（鉤状、きのこ状、錨状等）が形成された凸部材（フック材）と、表面にループ状の繊維が配置された凹部材（ループ材）とを組み合わせたもの等が用いられることが多い。このファスナーは、ループ材の表面にフック材を重ね合わせ、フック材の多数の突起をループ材の表面に係合させることにより、両部材を着脱可能な状態に、且つ強固に固着させることができるものである。メカニカルファスナーのフック材は、これと対応するメカニカルファスナーのループ材以外にも、織布、不織布、フェルト、パイル等の繊維状の表面を有する素材にも係合させることが可能であるので、繊維状の表面を有する素材からなる衣類やおむつに対して係合させて固定することができる。
【００５３】
固定部としての粘着テープは、衣類やおむつ等の内部に配置して使用する公知の吸収性物品（例えば、インナーパッド、補助パッドとも称されるシート状の尿パッド）の固定部として利用される粘着テープ等を好適に用いることができる。なお、このような粘着テープは、使用前に粘着力が低下することを防止するために、粘着部位を保護しておくことが好ましい。
【００５４】
このような固定部の大きさや配置する位置については、男性用尿パッドを衣類やおむつ等の内面に固定することができ、男性用尿パッドの位置ずれが生じない程度の結合力が得られるものであれば特に制限はなく、例えば、吸収性本体のバックシート側の表面全域に配置してもよいし、吸収性本体のバックシート側の表面の一部に配置してもよい。図１Ａに示す男性用尿パッド１ａにおいては、男性用尿パッド１ａの装着時における、上下方向の中心軸に対して、左右の領域にそれぞれ一つずつ矩形の固定部５６が配置された場合の例を示している。
【００５５】
また、本発明の男性用尿パッドは、例えば、図１０Ａ〜図１０Ｃに示すように、シート状に形成された吸収性本体前駆体１４ａの面上の点Ｐ１と、吸収性本体前駆体１４ａの外縁４２上の点Ｐ２及び点Ｐ３とによって囲われる第一の領域４４において、少なくとも一部が重ね合わされた状態で接合されるとともに、吸収性本体前駆体１４ａの面上の点Ｐ４と、吸収性本体前駆体１４ａの外縁４２上の点Ｐ５及び点Ｐ６とによって囲われる第二の領域４５においても、少なくとも一部が更に重ね合わされた状態で接合され、吸収性本体１４が、バックシート２０側の表面が突出するように湾曲し、トップシート１８側の表面側に凹状の空間４６を有する形状に形成されてなる男性用尿パッド１ｈであってもよい。
【００５６】
即ち、本発明の男性用尿パッドにおいては、二以上の領域（例えば、上記した第一の領域と第二の領域）において、それぞれその一部が重ね合わされた状態で接合されることによって立体構造が形成されていてもよい。
【００５７】
図１０Ａ及び図１０Ｂに示す男性用尿パッド１ｈは、第一の領域４４と第二の領域４５の二つの領域にて接合部５２が形成され、吸収性本体１４が椀状の立体構造を形成している。ここで、図１０Ａは、本発明の男性用尿パッドの更に他の実施形態を模式的に示す斜視図であり、図１０Ｂは、図１０Ａに示す男性用尿パッドの側面図である。また、図１０Ｃは、本発明の男性用尿パッドの更に他の実施形態における吸収性本体前駆体を示す平面図である。
【００５８】
なお、この図１０Ａ及び図１０Ｂに示す男性用尿パッド１ｈは、第一の領域４４及び第二の領域４５が、図１Ａに示す男性用尿パッド１ａと同様に、それぞれの領域の面積を二等分する線５４，５５に沿って、バックシート２０側の表面側に向けて山折りに折り曲げられて接合部５２を形成しているが、例えば、図２Ａ〜図２Ｃに示すような構成、即ち、図示は省略するが、吸収性本体前駆体の面上の点Ｐ１及び点Ｐ４のそれぞれから吸収性本体前駆体の外縁に向けて、対応する第一の領域及び第二の領域を分断するように切断され、切断により分断された第一の領域及び第二の領域のそれぞれが重ね合わされて接合されてなる男性用尿パッドであってもよい。
【００５９】
また、図１０Ａ及び図１０Ｂに示す男性用尿パッド１ｈのように、第一の領域４４と第二の領域４５の二つの領域にて接合部５２が形成され、吸収性本体１４が椀状の立体構造を形成している場合においても、使用する吸収性本体前駆体１４ａ（図１０Ｃ参照）の形状については特に制限はない。例えば、図１１に示す男性用尿パッド１ｉは、長方形の吸収性本体１４の前駆体（吸収性本体前駆体）を用いた場合の例を示し、図１２に示す男性用尿パッド１ｊは、楕円形の吸収性本体１４の前駆体（吸収性本体前駆体）を用いた場合の例を示し、図１３に示す男性用尿パッド１ｋは、五角形の吸収性本体１４の前駆体（吸収性本体前駆体）を用いた場合の例を示し、図１４に示す男性用尿パッド１ｌは、六角形の吸収性本体１４の前駆体（吸収性本体前駆体）を用いた場合の例を示している。ここで、図１１〜図１４は、本発明の男性用尿パッドの更に他の実施形態を模式的に示す斜視図である。なお、図１１〜図１４において、図１０Ａに示す男性用尿パッド１ｈの各要素と同様に構成されているものについては、同一の符号を付して説明を省略する。
【００６０】
また、上述したように第二の領域においても接合部が形成されている場合、男性用尿パッドを構成する吸収性本体は、点Ｐ１及び点Ｐ４のそれぞれが、吸収性本体前駆体の表面の中心点を通過し且つ吸収性本体前駆体の表面の面積を二等分する線上に位置するように構成されてなることが好ましい。このように構成することによって、上記二等分する線を中心軸として対称的な立体構造（即ち、着用者に対して左右対称な構造）となり、着用者の男性器を覆うように宛がって使用する場合に、良好な着用感を得ることができる。
【００６１】
なお、本発明の男性用尿パッドは、上述したように着用者に対して左右対称の立体構造であることは好ましい形態の一つではあるが、着用者の上下方向については、必ずしも対称的な立体構造である必要はない。例えば、着用者の股下部側においては、尿漏れ防止のために、凹状の空間の深さが相対的に深くなるように構成されていてもよい。
【００６２】
例えば、本発明の男性用尿パッドにおいては、図１０Ｂに示すように、点Ｐ１から、トップシート１８側の凹状の空間４６の開口部外縁４７までの最短距離Ｌ１よりも、点Ｐ４から、トップシート１８側の凹状の空間４６の開口部外縁４７までの最短距離Ｌ２が長くなるように構成することが好ましい。このように構成することによって、例えば、男性用尿パッド１ｈを、吸収性本体１４の点Ｐ１側が着用者の股下部側に配置されるように宛がって使用することにより、着用感に優れるとともに、男性用尿パッド１ｈからの尿漏れを有効に防止することができる。
【００６３】
また、図示は省略するが、本発明の男性用尿パッドは、吸収性本体が、上述した第一の領域及び第二の領域の他に、第三の領域等の更に他の領域が設けられ、三つ以上の領域にて、それぞれ少なくとも一部が重ね合わされた状態で接合されて、バックシート側の表面が突出するように湾曲し、トップシート側の表面側に凹状の空間を有する形状に形成されてなるものであってもよい。
【００６４】
このように、吸収性本体に三つ以上の領域が設けられる場合においても、その領域（例えば、第三の領域）は、これまでに説明した第一の領域及び第二の領域と同様の構成されていることが好ましい。
【００６５】
以下、本発明の男性用尿パッドを構成する各構成要素について更に具体的に説明する。
【００６６】
［１−１］吸収体：
吸収体は、着用者の尿を吸収し、保持するための部材である。吸収体は、着用者の尿や体液を吸収し保持する必要から、吸収性材料によって構成される。
【００６７】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れ対策として、熱融着繊維等の合成繊維を含んだものであってもよい。
【００６８】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００６９】
吸収体は、トップシートとバックシートの間の少なくとも一部に介装されることが好ましい。通常、吸収体は、トップシートとバックシートの間に挟み込まれ、その周縁部が封着されることによって、トップシートとバックシートの間に介装される。従って、吸収体の周縁部にはトップシートとバックシートの間に吸収体が介装されていないフラップ部が形成されることになる。
【００７０】
吸収体は、その全体が親水性シートによって包み込まれていることが好ましい。このような構成は、吸収体からＳＡＰが漏洩することを防止し、吸収体に形状安定性を付与することができるという利点がある。
【００７１】
吸収体の形状については特に制限はないが、吸収性本体の外縁側に、トップシートとバックシートによって形成されたフラップ部が均一の幅で形成されるように、吸収性本体の形状に対応したものであることが好ましい。
【００７２】
なお、吸収体には、その一方の表面側に（例えば、吸収体とトップシートとの間に）、尿を拡散させるためのシート（セカンドシート）を付帯的に配置してもよい。このセカンドシートを付設すると、排尿量が多い場合や複数回の排尿により吸収体に多くの尿が吸収された状態で更に排尿があった場合などでも、尿の吸収速度が低下し難く、吸収速度の低下による尿の漏れを防止することが可能となる。
【００７３】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００７４】
［１−２］トップシート：
トップシートは、吸収体の一方の表面（男性用尿パッドを装着した際に、着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。通常、少なくとも吸収体の表面近傍については、着用者の尿を透過させ得る液透過性の材料によって構成される。少なくとも一部が液透過性材料により構成されている限り、必ずしもトップシート全体が液透過性材料で構成されている必要はない。
【００７５】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。また、トップシートは単一のシート材によって構成されていてもよいが、複数のシート材によって構成されていてもよい。
【００７６】
［１−３］バックシート：
バックシートは、吸収体の他方の表面（男性用尿パッドを装着した際に、着用者の着衣側に位置する面）を被覆するように配置されるシートである。バックシートは、着用者の尿が男性用尿パッドの外部に漏洩してしまうことを防止する必要から、液不透過性材料によって構成される。
【００７７】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、男性用尿パッドの内部の蒸れを防止することができるという利点がある。
【００７８】
また、バックシートは、例えば、液不透過性フィルムに不織布を貼り付けたフィルム（例えば、クロスライクフィルム）からなるものも好適に用いることができる。このような素材のフィルムをバックシートとして用いることによって、男性用尿パッドの端部がめくれてしまった場合であっても、着用者のスキントラブルを有効に防止することができる。
【００７９】
［１−４］吸収性本体：
本発明の男性用尿パッドにおいては、トップシート、バックシート及び吸収体を、吸収・保持機能を担う「吸収性本体」という一つの部材として構成し、この吸収性本体が、バックシート側の表面が突出するように湾曲し、トップシート側の表面側に凹状の空間を有する形状に形成されて男性用尿パッドを形成している。
【００８０】
この吸収性本体は、吸収体の一方の表面（男性用尿パッドを装着した際に、着用者の肌側に位置する面）側にトップシート、他の表面（男性用尿パッドを装着した際に、着用者の着衣側に位置する面）側にバックシートが配置されたものであり、トップシートとバックシートとの間に吸収体が介装された構造となっている。例えば、図１Ａに示す男性用尿パッド１ａは、トップシート１８とバックシート２０の間に吸収体２２を挟み込み、吸収体２２の周縁部を封着することによって、トップシート１８とバックシート２０との間に吸収体２２が介装された構造の吸収性本体１４を構成した例である。
【００８１】
本発明の男性用尿パッドの吸収性本体は、立体構造が形成される前のシートの吸収性本体前駆体を用いて、その面上の点Ｐ１と、この点Ｐ１から吸収性本体前駆体の外縁上に放射状に伸びた点Ｐ２及び点Ｐ３とによって囲われる第一の領域において、少なくとも一部が重ね合わされた状態で接合されて立体構造が形成されている。
【００８２】
吸収性本体の大きさについては特に制限はなく、少なくとも、着用者（男性）の男性器を覆うことが可能なサイズに構成されていればよい。
【００８３】
［２］男性用尿パッドの製造方法：
以下、本発明の男性用尿パッドを製造する方法の一例を、図１Ａに示す男性用尿パッド１ａを製造する場合の例により説明する。
【００８４】
まず、バックシート２０の上面に、親水性シートに包まれた吸収体２２を配置し、更にその上面にトップシート１８を配置する。次いで、吸収体２２の周縁部をトップシート１８とバックシート２０とで挟み込むように封着することによって、シート状の吸収性本体前駆体を得る。
【００８５】
次に、得られた吸収性本体前駆体を、その面上の点Ｐ１を起点とし、前記点Ｐ１と、吸収性本体前駆体の外縁上の点Ｐ２及び点Ｐ３とによって囲われる第一の領域の面積を二等分する線に沿って、バックシート側の表面側に向けて山折りに折り曲げる。その後、第一の領域におけるトップシート側の表面の対向する面を接合し、図１Ａに示すような、バックシート２０側の表面が突出するように湾曲し、トップシート１８側の表面側に凹状の空間４６を有する形状に形成された吸収性本体１４を形成する。
【００８６】
次に、得られた吸収性本体１４のバックシート２０側の表面に、吸収性本体１４を着脱可能に固定するための固定部５６（例えば、粘着シート）を配設して男性用尿パッド１ａを製造する。
【００８７】
なお、図２Ａに示すような男性用尿パッド１ｂを製造する場合には、シート状の吸収性本体前駆体の面上の点Ｐ１から吸収性本体前駆体の外縁に向けて、第一の領域を切断し、切断により分断された第一の領域を重ね合わせて接合することによって、同様の立体構造を有する吸収性本体を形成することができる。
【００８８】
また、本発明の男性用尿パッドは、図１０Ａに示すように、第一の領域４４以外に、第二の領域４５を設け、この第二の領域４５においても、上記第一の領域４４と同様の方法によって、少なくとも一部を重ね合わせて接合することによって、立体構造を有する吸収性本体１４を形成することもできる。
【産業上の利用可能性】
【００８９】
本発明の男性用尿パッドは、乳幼児用ないしは介護を必要とする高齢者や障害者等の成人用の尿パッドとして利用することが可能である。そして、本発明の男性用尿パッドは、装着が容易であるとともに、着用感に優れているので、高齢者・障害者等に特に好適に用いることができる。
【図面の簡単な説明】
【００９０】
【図１Ａ】本発明の男性用尿パッドの一の実施形態を模式的に示す斜視図である。
【図１Ｂ】図１Ａに示す男性用尿パッドの側面図である。
【図１Ｃ】本発明の男性用尿パッドの一の実施形態における吸収性本体前駆体を示す平面図である。
【図２Ａ】本発明の男性用尿パッドの他の実施形態を模式的に示す斜視図である。
【図２Ｂ】図２Ａに示す男性用尿パッドの側面図である。
【図２Ｃ】本発明の男性用尿パッドの他の実施形態における吸収性本体前駆体を示す平面図である。
【図３Ａ】本発明の男性用尿パッドの更に他の実施形態を模式的に示す斜視図である。
【図３Ｂ】図３Ａに示す男性用尿パッドの側面図である。
【図３Ｃ】本発明の男性用尿パッドの更に他の実施形態における吸収性本体前駆体を示す平面図である。
【図４】本発明の男性用尿パッドの更に他の実施形態を模式的に示す斜視図である。
【図５】本発明の男性用尿パッドの更に他の実施形態を模式的に示す斜視図である。
【図６】本発明の男性用尿パッドの更に他の実施形態を模式的に示す斜視図である。
【図７】本発明の男性用尿パッドの更に他の実施形態を模式的に示す斜視図である。
【図８Ａ】本発明の男性用尿パッドの更に他の実施形態における吸収性本体前駆体を示す平面図である。
【図８Ｂ】図８Ａに示す吸収性本体前駆体からなる男性用尿パッドを示す平面図である。
【図９Ａ】本発明の男性用尿パッドの更に他の実施形態における吸収性本体前駆体を示す平面図である。
【図９Ｂ】図９Ａに示す吸収性本体前駆体からなる男性用尿パッドを示す側面図である。
【図１０Ａ】本発明の男性用尿パッドの更に他の実施形態を模式的に示す斜視図である。
【図１０Ｂ】図１０Ａに示す男性用尿パッドの側面図である。
【図１０Ｃ】本発明の男性用尿パッドの更に他の実施形態における吸収性本体前駆体を示す平面図である。
【図１１】本発明の男性用尿パッドの更に他の実施形態を模式的に示す斜視図である。
【図１２】本発明の男性用尿パッドの更に他の実施形態を模式的に示す斜視図である。
【図１３】本発明の男性用尿パッドの更に他の実施形態を模式的に示す斜視図である。
【図１４】本発明の男性用尿パッドの更に他の実施形態を模式的に示す斜視図である。
【図１５】従来の男性用尿パッドを示す平面図であり、尿パッドを表面シート側から見た状態を示す一部切り欠き平面図である。
【符号の説明】
【００９１】
１，１ａ，１ｂ，１ｃ，１ｄ，１ｅ，１ｆ，１ｇ，１ｈ，１ｉ，１ｊ，１ｋ，１ｌ，１ｍ，１ｎ：男性用尿パッド、１４：吸収性本体、１４ａ：吸収性本体前駆体、１８：トップシート、２０：バックシート、２２：吸収体、４２：外縁（吸収性本体前駆体の外縁）、４４，４４ａ，４４ｂ，４４ｃ，４４ｄ，４４ｅ：第一の領域、４５，４５ａ，４５ｂ：第二の領域、４６：凹状の空間、４７：開口部外縁、５２，５２ａ，５２ｂ：接合部、５４：第一の領域の面積を二等分する線、５５：（第二の領域の）面積を二等分する線、５６：固定部、５８：切れ目、５９，５９ａ，５９ｂ：切り欠き部、１００：男性用尿パッド、１０２：表面シート、１０４：裏面シート、１０６：吸収体、１０８：粘着部、１１０：上端縁、１１２：右側縁、１１４：左側縁、１１６：下端縁、１１８：男性器。
【図１Ａ】
2010029360.tif 000003
【図１Ｂ】
2010029360.tif 000004
【図１Ｃ】
2010029360.tif 000005
【図２Ａ】
2010029360.tif 000006
【図２Ｂ】
2010029360.tif 000007
【図２Ｃ】
2010029360.tif 000008
【図３Ａ】
2010029360.tif 000009
【図３Ｂ】
2010029360.tif 000010
【図３Ｃ】
2010029360.tif 000011
【図４】
2010029360.tif 000012
【図５】
2010029360.tif 000013
【図６】
2010029360.tif 000014
【図７】
2010029360.tif 000015
【図８Ａ】
2010029360.tif 000016
【図８Ｂ】
2010029360.tif 000017
【図９Ａ】
2010029360.tif 000018
【図９Ｂ】
2010029360.tif 000019
【図１０Ａ】
2010029360.tif 000020
【図１０Ｂ】
2010029360.tif 000021
【図１０Ｃ】
2010029360.tif 000022
【図１１】
2010029360.tif 000023
【図１２】
2010029360.tif 000024
【図１３】
2010029360.tif 000025
【図１４】
2010029360.tif 000026
【図１５】
2010029360.tif 000027